(57)【特許請求の範囲】
【請求項１】
光源として半導体型光源を使用する車両用灯具において、
半導体型光源と、
放物柱状曲面からなり、前記半導体型光源からの光を反射させて拡散タイプの配光パターンとして外部に照射する第１反射面と、
前記第１反射面の一部に追加して設けられていて、前記半導体型光源からの光を反射させてオーバーヘッドサイン用の配光パターンとして外部に照射する第２反射面と、
を備え、
放物柱状曲面からなる前記第１反射面の焦線は、前記半導体型光源の発光中心から光の反射方向側に位置し、
前記第２反射面は、放物柱状曲面からなり、
放物柱状曲面からなる前記第２反射面の焦線は、前記半導体型光源の発光中心から光の反射方向と反対側に位置する、
ことを特徴とする車両用灯具。
【請求項２】
前記第２反射面は、前記第１反射面のうち前記半導体型光源から離れた箇所に追加して設けられている、ことを特徴とする請求項１に記載の車両用灯具。
【請求項３】
前記第２反射面は、横長の形状をなす、ことを特徴とする請求項１または２に記載の車両用灯具。
【発明の詳細な説明】
【技術分野】
【０００１】
この発明は、光源としてたとえばＬＥＤなどの半導体型光源を使用する車両用灯具に関するものである。
【背景技術】
【０００２】
この種の車両用灯具は、従来からある（たとえば、特許文献１）。以下、この車両用灯具について説明する。従来の車両用灯具は、所定間隔をおいて配置された複数個の半導体発光素子と、放物柱状曲面からなる反射面と、を備えるものである。従来の車両用灯具は、複数個の半導体発光素子を発光させると、その複数個の半導体発光素子からの光が反射面で反射されて、拡散タイプの配光パターンとして外部（車両の前方）に照射される。
【０００３】
ところが、従来の車両用灯具は、拡散タイプの配光パターンが得られるだけであって、その他の機能の配光パターンたとえばオーバーヘッドサイン用の配光パターンと共に、複数の配光パターンが得られるものではない。
【０００４】
【特許文献１】特開２００５−１４１９１９号公報
【発明の開示】
【発明が解決しようとする課題】
【０００５】
この発明が解決しようとする問題点は、従来の車両用灯具では、拡散タイプの配光パターンとオーバーヘッドサイン用の配光パターンとが得られないという点にある。
【課題を解決するための手段】
【０００６】
この発明（請求項１にかかる発明）は、放物柱状曲面からなる第１反射面の一部に、半導体型光源からの光を反射させてオーバーヘッドサイン用の配光パターンとして外部に照射する第２反射面を、追加して設け、放物柱状曲面からなる第１反射面の焦線が半導体型光源の発光中心から光の反射方向側に位置し、第２反射面が放物柱状曲面からなり、放物柱状曲面からなる第２反射面の焦線が半導体型光源の発光中心から光の反射方向と反対側に位置する、ことを特徴とする。
【０００７】
また、この発明（請求項２にかかる発明）は、第２反射面が第１反射面のうち半導体型光源から離れた箇所に追加して設けられている、ことを特徴とする。
【０００８】
さらに、この発明（請求項３にかかる発明）は、第２反射面が横長の形状をなす、ことを特徴とする。
【発明の効果】
【００１０】
この発明（請求項１にかかる発明）の車両用灯具は、半導体型光源からの光を放物柱状曲面からなる第１反射面で反射させることにより、拡散タイプの配光パターンが得られ、かつ、半導体型光源からの光を第１反射面の一部に追加して設けられている第２反射面で反射させることにより、オーバーヘッドサイン用の配光パターンが得られる。さらにまた、この発明（請求項１にかかる発明）の車両用灯具は、放物柱状曲面からなる第１反射面の焦線が半導体型光源の発光中心から光の反射方向側に位置するので、第１反射面で反射して得られる拡散タイプの配光パターンが主に下に向く。このために、この発明（請求項１にかかる発明）の車両用灯具は、下向きの拡散タイプの配光パターンを簡単にかつ確実に得ることができる。しかも、この発明（請求項１にかかる発明）の車両用灯具は、放物柱状曲面からなる第２反射面の焦線が半導体型光源の発光中心から光の反射方向と反対側に位置するので、第２反射面で反射して得られるオーバーヘッドサイン用の配光パターンが主に上に向く。このために、この発明（請求項１にかかる発明）の車両用灯具は、上向きのオーバーヘッドサイン用の配光パターンを簡単にかつ確実に得ることができる。このように、この発明（請求項１にかかる発明）の車両用灯具は、第１反射面および第２反射面により、下向きの拡散タイプの配光パターンと上向きのオーバーヘッドサイン用の配光パターンとを平行に見栄え良くそれぞれ簡単にかつ確実に得ることができる。その上、この発明（請求項１にかかる発明）の車両用灯具は、第２反射面が放物柱状曲面からなるので、拡散タイプの良好なオーバーヘッドサイン用の配光パターンが得られ易い。
【００１１】
また、この発明（請求項２にかかる発明）の車両用灯具は、第２反射面が第１反射面のうち半導体型光源から離れた箇所に追加して設けられているので、第２反射面で反射される光が半導体型光源に近い第１反射面で反射される光と比較してグレアを与えない程度に弱い。このために、この発明（請求項２にかかる発明）の車両用灯具は、第２反射面で反射されるグレアを与えない程度の弱い光でオーバーヘッドサイン用の配光パターンを形成するので、グレアを与えない良好なオーバーヘッドサイン用の配光パターンが得られ易い。
【００１２】
さらに、この発明（請求項３にかかる発明）の車両用灯具は、第２反射面が横長の形状をなすので、横長の良好なオーバーヘッドサイン用の配光パターンが得られ易い。しかも、この発明（請求項３にかかる発明）の車両用灯具は、第２反射面の寸法や形状を調整することにより、オーバーヘッドサイン用の配光パターンの寸法や形状を簡単に調整することができる。
【発明を実施するための最良の形態】
【００１５】
以下に、この発明にかかる車両用灯具の実施例を図面に基づいて詳細に説明する。なお、この実施例によりこの発明が限定されるものではない。図面において、符号「ＶＵ−ＶＤ」は、スクリーンの上下の垂直線を示す。符号「ＨＬ−ＨＲ」は、スクリーンの左右の水平線を示す。また、この明細書において、「上、下、前、後、左、右」は、この発明にかかる車両用灯具を車両に装備した際の「上、下、前、後、左、右」である。
【実施例】
【００１６】
以下、この実施例における車両用灯具の構成について説明する。図１において、符号１は、この実施例における車両用灯具としての車両用前照灯である。前記車両用前照灯１は、第１ランプユニット１Ｌと、第２ランプユニット２Ｌと、第３ランプユニット３Ｌと、ランプハウジング４と、ランプレンズ（たとえば、素通しのアウターレンズなど）５と、から構成されている。
【００１７】
前記第１ランプユニット１Ｌおよび前記第２ランプユニット２Ｌおよび前記第３ランプユニット３Ｌは、前記ランプハウジング４および前記ランプレンズ５により区画されている灯室６内に、たとえば光軸調整機構（図示せず）を介して配置されている。
【００１８】
前記第１ランプユニット１Ｌは、図１〜図３に示すように、１個の半導体型光源７と、第１反射面（主反射面）８と、第２反射面（追加反射面）９と、リフレクタ１０と、ブラケット１１と、を備えるものである。前記半導体型光源７は、たとえば、ＬＥＤ、ＥＬ（有機ＥＬ）などの自発光半導体型光源（この実施例ではＬＥＤ）を使用する。
【００１９】
前記半導体型光源７は、四角形の基板１２と、前記基板１２の一面に固定された微小な矩形形状（正方形形状）の光源チップ（半導体チップ）の発光体（図示せず）と、前記発光体を覆う半球形状の光透過部材１３と、から構成されている。前記半導体型光源７は、前記リフレクタ１０に前記ブラケット１１を介して、前記光透過部材１３が下向きになるように固定されている。すなわち、前記半導体型光源７の前記基板１２の他面が前記ブラケット１１の下面に固定されている。
【００２０】
前記リフレクタ１０は、光不透過性の樹脂部材などから構成されており、前側の部分と上側の部分とが開口し、その他の部分が閉塞した形状をなす。前記リフレクタ１０の閉塞部の後側の部分から下側の部分にかけての凹内面には、アルミ蒸着もしくは銀塗装などが施されていて前記第１反射面８が設けられている。
【００２１】
前記第１反射面８は、放物柱状曲面からなる。すなわち、前記第１反射面８は、垂直断面視（縦断面視）が放物線をなし、その放物線が左右に連なる筒形状をなすものである。前記第１反射面８は、左右に延びる焦線Ｆ１を有する。前記第１反射面８の前記焦線Ｆ１は、前記半導体型光源７の発光中心から光の反射方向側、すなわち、前記光透過部材１３（前記光源チップ）の中心から前記光透過部材１３の前側端部に位置する。前記第１反射面８は、図５（Ａ）に示すように、前記半導体型光源７からの光Ｌ１（実線矢印を参照）を反射させて拡散タイプの配光パターンＰ１として外部（車両の前方）に照射するものである。
【００２２】
前記第２反射面９は、前記第１反射面８の一部に追加して設けられている。すなわち、前記リフレクタ１０の閉塞部の凹内面（前記第１反射面８）の中央であって前記半導体型光源７から離れた箇所（前記半導体型光源７の真下から前側の箇所）には、横長の小凸形状の追加リフレクタ１４が一体に設けられている。前記追加リフレクタ１４の内面には、前記第２反射面９が設けられている。
【００２３】
前記第２反射面９は、前記第１反射面８と同様に、小型の放物柱状曲面からなる。すなわち、前記第２反射面９は、垂直断面視（縦断面視）が放物線をなし、その放物線が左右に連なる筒形状をなすものである。前記第２反射面９は、左右に延びる焦線Ｆ２を有する。前記第２反射面９の前記焦線Ｆ２は、前記半導体型光源７の発光中心から光の反射方向と反対側、すなわち、前記光透過部材１３（前記光源チップ）の中心から前記光透過部材１３および前記基板１２より後側に位置する。前記第２反射面９は、図５（Ｂ）に示すように、前記半導体型光源７からの光Ｌ２（破線矢印を参照）を反射させてオーバーヘッドサイン用の配光パターンＰ２として外部（車両の前方）に照射するものである。
【００２４】
前記第１反射面８の前記焦線Ｆ１および前記第２反射面９の前記焦線Ｆ２は、前記第１ランプユニット１Ｌの中心軸（光軸）Ｚ１−Ｚ１に対して直交する。前記第１ランプユニット１Ｌの中心軸（光軸）Ｚ１−Ｚは、前記半導体型光源７の発光中心を前後方向に通過する。
【００２５】
なお、前記リフレクタ１０の左右の両側の部分の内面に第１副反射面（第１補助反射面）１５と第２副反射面（第１補助反射面）１６とをそれぞれ設けても良い。
【００２６】
前記第２ランプユニット２Ｌおよび前記第３ランプユニット３Ｌは、図１および図４に示すように、プロジェクタタイプのランプユニットであって、上側のメインリフレクタ１７と、下側のサブリフレクタ１８と、半導体型光源１９と、シェード２０と、投影レンズ（凸レンズ、集光レンズ）２１と、から構成されている。
【００２７】
前記メインリフレクタ１７および前記サブリフレクタ１８は、光不透過性の樹脂部材などから構成されており、ケーシングやハウジングやホルダなどの保持部材と兼用である。また、前記メインリフレクタ１７および前記サブリフレクタ１８は、ほぼ光軸Ｚ２−Ｚ２に沿って水平に上下に２分割してなるものである。前記メインリフレクタ１７と前記サブリフレクタ１８とは、図示しない固定手段（たとえば、ボルトナット、スクリュー、加締め、クリップなど）により、一体に固定されている。なお、前記メインリフレクタ１７と前記サブリフレクタ１８とを一体に形成しても良い。
【００２８】
前記メインリフレクタ１７は、前側の部分が半円形に開口し、かつ、下側の部分が開口し、その他の部分が閉塞している。前記メインリフレクタ１７の中央部分のうちほぼ後半分から後側の部分までの閉塞部の凹内面には、アルミ蒸着もしくは銀塗装などが施されていてメイン反射面２２が設けられている。
【００２９】
前記メイン反射面２２は、楕円を基調とした反射面、たとえば、回転楕円面や楕円を基本とした自由曲面（ＮＵＲＢＳ曲面）などの反射面（図４の垂直断面が楕円面をなし、かつ、図示しない水平断面が放物面ないし変形放物面をなす反射面）からなる。このために、前記メイン反射面２２は、第１焦点Ｆ２１と第２焦点（水平断面上の焦線、すなわち、上（平面）から見て両端が前記投影レンズ２１側に位置し中央が前記半導体型光源１９側に位置するような湾曲した焦線）Ｆ２２と、前記光軸Ｚ２−Ｚ２と、を有する。
【００３０】
前記サブリフレクタ１８は、前側の部分が半円形に開口し、下側の前半分の部分が開口し、その他の部分が閉塞している。前記サブリフレクタ１８の閉塞部分は、前側の下水平板部２３と、中間の垂直板部２４と、後側の上水平板部２５と、からなる。前記サブリフレクタ１８の上水平板部２５の上面には、アルミ蒸着もしくは銀塗装などが施されていて、光軸Ｚ２−Ｚ２に沿うほぼ平面をなすサブ反射面２６が設けられている。
【００３１】
前記半導体型光源１９は、たとえば、ＬＥＤ、ＥＬ（有機ＥＬ）などの自発光半導体型光源（この実施例ではＬＥＤ）を使用する。前記半導体型光源１９は、基板２７と、前記基板の一面に固定された微小な矩形形状（正方形形状）の光源チップ（半導体チップ）の発光体（図示せず）と、前記発光体を覆う光透過部材２８と、から構成されている。前記半導体型光源１９は、前記メインリフレクタ１７および前記サブリフレクタ１８に保持されている。前記半導体型光源１９の前記発光体は、前記メイン反射面２２の前記第１焦点Ｆ１もしくはその近傍に位置する。前記半導体型光源１９は、前記サブリフレクタ１８の後側開口部に配置されている。
【００３２】
前記シェード２０は、前記サブリフレクタ１８と一体に設けられている。すなわち、前記シェード２０は、前記サブリフレクタ１８の上水平板部２５と兼用するものである。前記シェード２０は、前記メイン反射面２２の第２焦点Ｆ２もしくはその近傍と前記半導体型光源１９との間に配置されている。また、前記シェード２０は、前記半導体型光源１９から放射されて前記メイン反射面２２で反射された反射光の一部をカットオフして残りの反射光で所定の配光パターンＰ３、Ｐ４を形成するものである。
【００３３】
前記投影レンズ２１は、前記メインリフレクタ１７の前側半円形開口の縁部および前記サブリフレクタ１８の前側半円形開口の縁部に保持されている。前記投影レンズ２１は、非球面レンズの凸レンズである。前記投影レンズ２１の前方側（外部側）は、曲率が大きい（曲率半径が小さい）凸非球面をなし、一方、前記投影レンズ２１の後方側（前記半導体型光源１９側）は、曲率が小さい（曲率半径が大きい）凸非球面をなす。このような投影レンズ２１を使用することにより、前記投影レンズ２１の焦点距離が小さくなるので、その分、ランプユニット２Ｌ、３Ｌの前記投影レンズ２１の光軸Ｚ２−Ｚ２方向の寸法がコンパクトとなる。なお、前記投影レンズ２１の後方側は、平非球面（平面）をなすものであってもよい。
【００３４】
前記投影レンズ２１は、前側焦点（前記半導体型光源１９側の焦点）および後側焦点（外部側の焦点）と、前記前側焦点と前記後側焦点とを結ぶ光軸Ｚ３−Ｚ３とを有する。前記メイン反射面２２の光軸Ｚ２−Ｚ２と前記投影レンズ２１の光軸Ｚ３−Ｚ３とは、一致（ほぼ一致も含む）する。前記投影レンズ２１の前側焦点は、レンズ焦点（物空間側の焦点面であるメリジオナル像面）ＦＬである。前記投影レンズ２１の前記レンズ焦点ＦＬは、前記メイン反射面２２の第２焦点Ｆ２もしくはその近傍に位置する。なお、前記半導体型光源１９の光は、高い熱を持たないので、前記投影レンズ２１として樹脂製のレンズを使用することができる。前記投影レンズ２１は、この例ではアクリルを使用する。
【００３５】
前記第２ランプユニットＬ２は、図５（Ｃ）に示すように、斜めのカットオフラインＣＬ１を有する集光タイプの配光パターンＰ３を外部（車両の前方）に照射するものである。また、前記第３ランプユニットＬ３は、図５（Ｄ）に示すように、水平のカットオフラインＣＬ２を有する集光タイプの配光パターンＰ４を外部（車両の前方）に照射するものである。
【００３６】
この実施例における車両用灯具（車両用前照灯１）は、以上のごとき構成からなり、以下、その作用について説明する。
【００３７】
まず、第１ランプユニット１Ｌの半導体型光源７および第２ランプユニット２Ｌの半導体型光源１９および第３ランプユニットＬ３の半導体型光源１９をそれぞれ点灯発光させる。すると、第１ランプユニット１Ｌの半導体型光源７から放射された光Ｌ１、Ｌ２は、第１ランプユニット１Ｌの第１反射面８および第２反射面９で反射される。
【００３８】
第１反射面８で反射された反射光Ｌ１は、図５（Ａ）に示す下向きの拡散タイプの配光パターンＰ１として外部（車両の前方）に照射される。また、第２反射面９で反射された反射光Ｌ２は、図５（Ｂ）に示す上向きのオーバーヘッドサイン用の配光パターンＰ２として外部（車両の前方）に照射される。
【００３９】
一方、第２ランプユニット２Ｌおよび第３ランプユニット３Ｌの半導体型光源１９から放射された光は、メイン反射面２２で反射されかつその反射光の一部がシェード２０でカットオフされて、残りの反射光が投影レンズ２１から外部（車両の前方）に投影（照射）される。
【００４０】
第２ランプユニット２Ｌから投影された残りの反射光は、図５（Ｃ）に示す斜めのカットオフラインＣＬ１を有する集光タイプの配光パターンＰ３として外部（車両の前方）に照射される。また、第３ランプユニット３Ｌから投影された残りの反射光は、図５（Ｄ）に示す水平のカットオフラインＣＬ２を有する集光タイプの配光パターンＰ４として外部（車両の前方）に照射される。
【００４１】
そして、第１ランプユニットＬ１の第１反射面８から照射成された図５（Ａ）に示す下向きの拡散タイプの配光パターンＰ１と、第１ランプユニットＬ１の第２反射面９から照射された図５（Ｂ）に示す上向きのオーバーヘッドサイン用の配光パターンＰ２と、第２ランプユニット２Ｌから投影された図５（Ｃ）に示す斜めのカットオフラインＣＬ１を有する集光タイプの配光パターンＰ３と、第３ランプユニット３Ｌから投影された図５（Ｄ）に示す水平のカットオフラインＣＬ２を有する集光タイプの配光パターンＰ４とがそれぞれ合成されて、図６に示すすれ違い用の配光パターンＰ１、Ｐ３、Ｐ４とオーバーヘッドサイン用の配光パターンＰ２とがそれぞれ得られる。
【００４２】
この実施例における車両用灯具（車両用前照灯１）は、以上のごとき構成および作用からなり、以下、その効果について説明する。
【００４３】
この実施例における車両用灯具（車両用前照灯１の第１ランプユニット１Ｌ）は、半導体型光源７からの光Ｌ１を放物柱状曲面からなる第１反射面８で反射させることにより、拡散タイプの配光パターンＰ１が得られ、かつ、半導体型光源７からの光Ｌ２を第１反射面８の一部に追加して設けられている第２反射面９で反射させることにより、オーバーヘッドサイン用の配光パターンＰ２が得られる。
【００４４】
また、この実施例における車両用灯具（車両用前照灯１の第１ランプユニット１Ｌ）は、第２反射面９が第１反射面８のうち半導体型光源７から離れた箇所（半導体型光源７の真下から前側の箇所）に追加して設けられているので、第２反射面９で反射される光Ｌ２が半導体型光源７に近い第１反射面８で反射される光Ｌ２と比較してグレアを与えない程度に弱い。このために、この実施例における車両用灯具（車両用前照灯１の第１ランプユニット１Ｌ）は、第２反射面９で反射されるグレアを与えない程度の弱い光でオーバーヘッドサイン用の配光パターンＰ２を形成するので、グレアを与えない良好なオーバーヘッドサイン用の配光パターンＰ２が得られ易い。
【００４５】
さらに、この実施例における車両用灯具（車両用前照灯１の第１ランプユニット１Ｌ）は、第２反射面９が横長の形状をなすので、横長の良好なオーバーヘッドサイン用の配光パターンＰ２が得られ易い。しかも、この実施例における車両用灯具（車両用前照灯１の第１ランプユニット１Ｌ）は、第２反射面９の寸法や形状を調整することにより、オーバーヘッドサイン用の配光パターンＰ２の寸法や形状を簡単に調整することができる。
【００４６】
さらにまた、この実施例における車両用灯具（車両用前照灯１の第１ランプユニット１Ｌ）は、放物柱状曲面からなる第１反射面８の焦線Ｆ１が半導体型光源７の発光中心から光Ｌ１の反射方向側、すなわち、光透過部材１３（光源チップ）の中心から光透過部材１３の前側端部に位置するので、第１反射面８で反射して得られる拡散タイプの配光パターンＰ１が主に下に向く。このために、この実施例における車両用灯具（車両用前照灯１の第１ランプユニット１Ｌ）は、下向きの拡散タイプの配光パターンＰ２を簡単にかつ確実に得ることができる。しかも、この実施例における車両用灯具（車両用前照灯１の第１ランプユニット１Ｌ）は、放物柱状曲面からなる第２反射面９の焦線Ｆ２が半導体型光源７の発光中心から光Ｌ２の反射方向と反対側、すなわち、光透過部材１３（光源チップ）の中心から光透過部材１３および前記基板１２より後側に位置するので、第２反射面９で反射して得られるオーバーヘッドサイン用の配光パターンＰ２が主に上に向く。このために、この実施例における車両用灯具（車両用前照灯１の第１ランプユニット１Ｌ）は、上向きのオーバーヘッドサイン用の配光パターンＰ２を簡単にかつ確実に得ることができる。このように、この実施例における車両用灯具（車両用前照灯１の第１ランプユニット１Ｌ）は、第１反射面８および第２反射面９により、下向きの拡散タイプの配光パターンＰ１と上向きのオーバーヘッドサイン用の配光パターンＰ２とを平行に見栄え良くそれぞれ簡単にかつ確実に得ることができる。
【００４７】
その上、この実施例における車両用灯具（車両用前照灯１の第１ランプユニット１Ｌ）は、第２反射面９が放物柱状曲面からなるので、拡散タイプの良好なオーバーヘッドサイン用の配光パターンＰ２が得られ易い。
【００４８】
以下、前記の実施例以外の例について説明する。前記の実施例においては、車両用灯具として、第１ランプユニット１Ｌと、第２ランプユニット２Ｌと、第３ランプユニット３Ｌとからなる自動車用前照灯について説明するものである。ところが、この発明においては、車両用灯具として自動車用前照灯以外の灯具、たとえば、フォグランプ、ＡＦＳ追加ランプ、コーナリングランプなどの照明用途の灯具などであっても良い。この場合、第１ランプユニット１Ｌのみを単独で使用しても良い。
【００４９】
また、前記の実施例においては、第１ランプユニット１Ｌにおいて１個の半導体型光源７を使用するものである。ところが、この発明においては、複数個の半導体型光源を使用しても良い。
【図面の簡単な説明】
【００５０】
【図１】この発明にかかる車両用灯具の実施例を示す正面図である。
【図２】同じく、第１ランプユニットを示す斜視図である。
【図３】同じく、第１ランプユニットを示す縦断面図（垂直断面図）である。
【図４】同じく、第２ランプユニットおよび第３ランプユニットを示す縦断面図（垂直断面図）である。
【図５】同じく、各ランプユニットから照射される配光パターンを示す説明図である。
【図６】同じく、各ランプユニットから照射される配光パターンを合成した状態を示す説明図である。
【符号の説明】
【００５１】
１  車両用前照灯（車両用灯具）
１Ｌ  第１ランプユニット
２Ｌ  第２ランプユニット
３Ｌ  第３ランプユニット
４  ランプハウジング
５  ランプレンズ
６  灯室
７  半導体型光源
８  第１反射面
９  第２反射面
１０  リフレクタ
１１  ブラケット
１２  基板
１３  光透過部材
１４  追加リフレクタ
１５  第１副反射面
１６  第２副反射面
１７  メインリフレクタ
１８  サブリフレクタ
１９  半導体型光源
２０  シェード
２１  投影レンズ
２２  メイン反射面
２３  下水平板部
２４  垂直板部
２５  下水平板部
２６  サブ反射面
２７  基板
２８  光透過部材
Ｆ１  第１反射面の焦線
Ｆ２  第２反射面の焦線
Ｆ２１  メイン反射面の第１焦点
Ｆ２２  メイン反射面の第２焦点
ＦＬ  レンズ焦点
Ｚ１−Ｚ１  第１ランプユニットの中心軸（光軸）
Ｚ２−Ｚ２  第２ランプユニットおよび第３ランプユニットの光軸
Ｚ３−Ｚ３  第２ランプユニットおよび第３ランプユニットの投影レンズの光軸
Ｌ１  第１ランプユニットの半導体型光源からの光および第１反射面からの反射光
Ｌ２  第１ランプユニットの半導体型光源からの光および第２反射面からの反射光
Ｐ１  拡散タイプの配光パターン
Ｐ２  オーバーヘッドサイン用の配光パターン
Ｐ３  斜めのカットオフラインを有する集光タイプの配光パターン
Ｐ４  水平のカットオフラインを有する集光タイプの配光パターン
ＣＬ１  集光タイプの配光パターンの斜めのカットオフライン
ＣＬ２  集光タイプの配光パターンの水平のカットオフライン
【図１】
0004784570.tif 000002
【図２】
0004784570.tif 000003
【図３】
0004784570.tif 000004
【図４】
0004784570.tif 000005
【図５】
0004784570.tif 000006
【図６】
0004784570.tif 000007